(57)【要約】【課題】放熱フィンと、放熱フィンの切り欠き部に挿通されたヒートパイプの放熱部とが低い熱抵抗で接合され、高い放熱効率を有する放熱フィンとヒートパイプの接合部およびその接合方法を提供する。【解決手段】放熱フィン群を形成する個々の放熱フィンの一方の端部に、ヒートパイプ放熱部の受け入れ用の切り欠き部を設け、放熱フィン群を形成する個々の別の放熱フィンの一方の端部に、ヒートパイプ放熱部の受け入れ用の別の切り欠き部を設け、前記切り欠き部および前記別の切り欠き部のそれぞれの内壁面に半田を塗布し、前記切り欠き部および前記別の切り欠き部に前記ヒートパイプの放熱部を接合する、放熱フィンとヒートパイプの接合方法。【選択図】図１
2011163622.tif 000002
【特許請求の範囲】
【請求項１】
放熱フィン群を形成する個々の放熱フィンの一方の端部に、ヒートパイプ放熱部の受け入れ用の切り欠き部を設け、
放熱フィン群を形成する個々の別の放熱フィンの一方の端部に、ヒートパイプ放熱部の受け入れ用の別の切り欠き部を設け、
前記切り欠き部および前記別の切り欠き部のそれぞれの内壁面に半田を塗布し、
前記切り欠き部および前記別の切り欠き部に前記ヒートパイプの放熱部を接合する、放熱フィンとヒートパイプの接合方法。
【請求項２】
前記放熱フィン群を形成する個々の放熱フィンの一方の端部に設けた切り欠き部に、半円筒部が、それぞれの放熱フィンの平らな面に直角に一体的に形成されて、前記切り欠き部の内壁面と前記半円筒部の内壁面とが同一面を形成し、
前記放熱フィン群を形成する個々の別の放熱フィンの一方の端部に設けた別の切り欠き部に、別の半円筒部が、それぞれの放熱フィンの平らな面に直角に一体的に形成されて、前記別の切り欠き部の内壁面と前記別の半円筒部の内壁面とが同一面を形成し、
前記半円筒部および前記別の半円筒部のそれぞれの内壁面に半田を塗布し、
前記半円筒部および前記別の半円筒部に前記ヒートパイプの放熱部を接合する、放熱フィンとヒートパイプの接合方法。
【請求項３】
前記放熱フィンと前記別の放熱フィンが、孔部で切断した１つの放熱フィンの一方の側の放熱フィン片と他方の側の放熱フィン片であり、前記切り欠き部と、前記別の切り欠き部が、孔部で切断した１つの孔部の一方の側の切り欠き部片と、他方の側の切り欠き部片であり、前記半円筒部と、前記別の半円筒部が、孔部で切断した１つの孔部の一方の側の半円筒部片と、他方の側の半円筒部片である、請求項１または２に記載の放熱フィンとヒートパイプの接合方法。
【請求項４】
前記放熱フィンと前記別の放熱フィンが同一形状の薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、請求項１〜３の何れか１項に記載の放熱フィンとヒートパイプの接合方法。
【請求項５】
前記放熱フィンと前記別の放熱フィンが異なる形状および／または異なる厚さの薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、請求項１〜４の何れか１項に記載の放熱フィンとヒートパイプの接合方法。
【請求項６】
ヒートパイプの放熱部と、
前記放熱部の外周面に取り付けられる、内壁面に塗布された半田を備えた切り欠き部が一方の端部に形成された放熱フィンと、内壁面に塗布された半田を備えた別の切り欠き部が一方の端部に形成された別の放熱フィンとを備え、
前記切り欠き部および前記別の切り欠き部に前記ヒートパイプの前記放熱部が半田接合されている放熱フィンとヒートパイプの接合部。
【請求項７】
放熱フィン群を形成する個々の放熱フィンの一方の端部に設けた放熱フィン片の切り欠き部片に、半円筒部が、それぞれの放熱フィン片の平らな面に直角に一体的に形成されて、前記切り欠き部片の内壁面と前記半円筒部の内壁面とが同一面を形成し、
放熱フィン群を形成する個々の別の放熱フィンの一方の端部に設けた放熱フィン片の別の切り欠き部片に、別の半円筒部が、それぞれの放熱フィン片の平らな面に直角に一体的に形成されて、前記別の切り欠き部片の内壁面と前記別の半円筒部の内壁面とが同一面を形成し、
前記半円筒部および前記別の半円筒部のそれぞれの内壁面に半田を塗布し、
前記半円筒部および前記別の半円筒部に前記ヒートパイプの放熱部を接合する、放熱フィンとヒートパイプの接合部。
【請求項８】
前記放熱フィンと前記別の放熱フィンが、孔部で切断した１つの放熱フィンの一方の側の放熱フィン片と他方の側の放熱フィン片であり、前記切り欠き部と前記別の切り欠き部が孔部で切断した１つの孔部の一方の側の切り欠き部片と他方の側の切り欠き部片である、請求項６または７に記載の放熱フィンとヒートパイプの接合部。
【請求項９】
前記放熱フィンと前記別の放熱フィンが同一形状の薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、請求項６〜９の何れか１項に記載の放熱フィンとヒートパイプの接合部。
【請求項１０】
前記放熱フィンと前記別の放熱フィンが異なる形状および／または異なる厚さの薄板状部材からなっており、前記放熱フィンの前記切り欠き部と前記別の放熱フィンの前記切り欠き部が相対して位置しており、前記放熱フィンと前記別の放熱フィンが交互またはランダムに配置されている、請求項６〜９の何れか１項に記載の放熱フィンとヒートパイプの接合部。
【発明の詳細な説明】
【技術分野】
【０００１】
この発明は、各種電気・電子機器に搭載される半導体素子などの発熱体の冷却用ヒートシンクにおける放熱フィンとヒートパイプの接合部およびその接合方法に関する。
【背景技術】
【０００２】
各種電気・電子機器に搭載された半導体素子等の発熱性の素子を冷却するために、放熱フィンおよびヒートパイプを備えたヒートシンクが各種提案され、また実用化されている。ヒートパイプを備えたヒートシンクによると、ヒートパイプによって、放熱すべき電気・電子部品の熱を別の場所に配置された放熱フィンに移動させ、その場所で放熱フィンを伝わって外部に放熱することができる。ヒートパイプは、大量の熱の移動に優れているので各種電気・電子機器において使用されている。
【０００３】
ヒートパイプの内部には作動流体の流路となる空間が設けられ、その空間に収容された作動流体が、蒸発、凝縮等の相変化や移動をすることによって、熱の移動が行われる。即ち、ヒートパイプの吸熱（受熱）側において、ヒートパイプを構成する容器の材質中を熱伝導して伝わってきた被冷却部品が発する熱により、作動流体が蒸発し、その蒸気がヒートパイプの放熱側に移動する。放熱側においては、作動流体の蒸気は冷却され再び液相状態に戻る。このように液相状態に戻った作動流体は再び吸熱側に移動（還流）する。このような作動流体の相変態や移動によって熱の移動が行われる。
【０００４】
半導体素子等の発熱性の素子を搭載する各種電気・電子機器は、発熱素子の発熱量が多くなり、高い放熱効率が要求されている。発熱素子は通常ベースプレート等の熱伝導性に優れた金属の一方の面に熱的に接続され、ベースプレートの他方の面には、ヒートパイプの受熱部が熱的に接続されている。発熱素子が発生する熱は、ベースプレートに熱伝導し、ベースプレートに伝わった熱は、更にヒートパイプの受熱部に移動する。
【０００５】
放熱フィンは、通常所定間隔で複数の薄板が平行に配置され、ヒートパイプの放熱側の端部に熱的に接続される。放熱フィンは一般的に金属製の薄板で形成されている。ヒートシンクの放熱効率を高めるためには、発熱性の素子からヒートパイプの受熱部への熱移動、および、ヒートパイプによって放熱部に移動された熱の放熱フィンへの効果的な熱移動が必要である。特に、ヒートパイプの放熱部から放熱フィンへの熱移動が重要である。
【０００６】
図５（ａ）は、従来のヒートパイプの放熱部と放熱フィンの接合部を説明する斜視図である。図５（ｂ）は、個々の放熱フィンを示す断面図である。図５（ａ）に示すように、従来のヒートパイプの放熱部と放熱フィンの接合部１００は、図５（ｂ）に示す放熱フィン１０２（例えばバーニング加工されたスタックフィン）が所定間隔で複数並列配置され、放熱フィン１０２の孔部１０３にヒートパイプ１０１が挿通されている。
【０００７】
放熱フィン１０２の孔部１０３には円筒状部１０５が一体的に形成され、複数の放熱フィン１０２が並列配置されたときの間隔は、円筒状部１０５の長さによって決まる。図５（ａ）および図５（ｂ）に示す従来のヒートパイプの放熱部と放熱フィンの接合部は、半田を用いることなくヒートパイプ１０１の放熱部と放熱フィン１０２が接合されている。このため、放熱フィン１０２の孔部１０３の径よりも、ヒートパイプ１０１の放熱部の径の方が大きく（例えば、ヒートパイプ１０１の放熱部の径はφ６で、放熱フィン１０２の孔部１０３の径がφ５．９である）設定される。この接合方法は、半田を使用することなく、ヒートパイプ１０１を放熱フィン１０２の孔部１０３に圧入するだけでよいので、容易にヒートパイプ１０１の放熱部に放熱フィン１０２を接合することができる。
【０００８】
図６は、従来のヒートパイプの放熱部と放熱フィンの他の接合部を説明する斜視図である。図６に示すように、従来の接合部においては、放熱フィン１０２の孔部１０３の上部に半田を収納する突起状部位１０４を設けて、そこに半田を充填する。このような半田を収容する突起状部位１０４を備えた放熱フィン１０２を複数並列配置し、孔部１０３にヒートパイプ１０１の放熱部を挿通して、ヒートパイプ１０１の放熱部と放熱フィン１０２を半田接合する。なお、放熱フィン１０２は、図５（ｂ）を参照して説明したように、放熱フィン１０２の孔部１０３には円筒状部１０５が一体的に形成されていてもよい。
【先行技術文献】
【特許文献】
【０００９】
【特許文献１】特開２００２−２４６５２１号公報
【特許文献２】特開２００１−２７４３０４号公報
【発明の概要】
【発明が解決しようとする課題】
【００１０】
図５を参照して説明した、従来のヒートパイプの放熱部と放熱フィンの接合部においては、上述したように、半田を使用することなく、径の大きなヒートパイプの放熱部を孔部の径の小さい放熱フィンに圧入するだけで、容易に製造することができる利点があるものの、ヒートパイプの放熱部と放熱フィンの間の熱抵抗が大きく、熱伝導が不十分であり、発熱量の多い発熱部品の冷却に適さないという問題点があった。
【００１１】
図６を参照して説明した、従来のヒートパイプの放熱部と放熱フィンの接合部においては、上述したように、放熱フィン１０２の孔部１０３の上部に半田を収納する突起状部位１０４を設けて、そこに半田を充填し、孔部１０３にヒートパイプ１０１の放熱部を挿通して、ヒートパイプ１０１の放熱部と放熱フィン１０２を半田接合すると、放熱フィンの孔部の内壁部の全域に均一に半田が行き届かず、半田が不均一になるという問題点があった。
【００１２】
従って、この発明の目的は、放熱フィンと、放熱フィンの孔部に挿通されたヒートパイプの放熱部とが低い熱抵抗で接合され、高い放熱効率を有する放熱フィンとヒートパイプの接合部およびその接合方法を提供することにある。
【課題を解決するための手段】
【００１３】
発明者は上述した従来の問題点を解決すべく鋭意研究を重ねた。その結果、放熱フィンを孔部で2つに切断し、孔部で切断した放熱フィンの一方の側の放熱フィン片に形成された切り欠き部片と、他方の側の放熱フィン片の放熱フィン片に形成された切り欠き部片のそれぞれの内壁面に半田を塗布し、ヒートパイプの放熱部に、半田を塗布した放熱フィン片を半田接合すると、放熱フィンの孔部の内壁部の全域に均一に半田接合を行うことができ、低い熱抵抗で、高い放熱効率を有する放熱フィンとヒートパイプの接合部が得られることが判明した。
【００１４】
更に、上述した放熱フィン片の半円状の孔部片に半円筒部を、それぞれの放熱フィン片の平らな面に直角に一体的に形成し、半円筒部の内壁面に半田を塗布して接合すると、より強固に接合することができ、低い熱抵抗で、高い放熱効率を有する放熱フィンとヒートパイプの接合部が得られる。
【００１５】
この発明の放熱フィンとヒートパイプの接合方法の第１の態様は、放熱フィン群を形成する個々の放熱フィンの一方の端部に、ヒートパイプ放熱部の受け入れ用の切り欠き部を設け、放熱フィン群を形成する個々の別の放熱フィンの一方の端部に、ヒートパイプ放熱部の受け入れ用の別の切り欠き部を設け、前記切り欠き部および前記別の切り欠き部のそれぞれの内壁面に半田を塗布し、前記切り欠き部および前記別の切り欠き部に前記ヒートパイプの放熱部を接合する、放熱フィンとヒートパイプの接合方法である。
【００１６】
この発明の放熱フィンとヒートパイプの接合方法の第２の態様は、前記放熱フィン群を形成する個々の放熱フィンの一方の端部に設けた切り欠き部に、半円筒部が、それぞれの放熱フィンの平らな面に直角に一体的に形成されて、前記切り欠き部の内壁面と前記半円筒部の内壁面とが同一面を形成し、前記放熱フィン群を形成する個々の別の放熱フィンの一方の端部に設けた別の切り欠き部に、別の半円筒部が、それぞれの放熱フィンの平らな面に直角に一体的に形成されて、前記別の切り欠き部の内壁面と前記別の半円筒部の内壁面とが同一面を形成し、前記半円筒部および前記別の半円筒部のそれぞれの内壁面に半田を塗布し、前記半円筒部および前記別の半円筒部に前記ヒートパイプの放熱部を接合する、放熱フィンとヒートパイプの接合方法である。
【００１７】
この発明の放熱フィンとヒートパイプの接合方法の第３の態様は、前記放熱フィンと前記別の放熱フィンが、孔部で切断した１つの放熱フィンの一方の側の放熱フィン片と他方の側の放熱フィン片であり、前記切り欠き部と、前記別の切り欠き部が、孔部で切断した１つの孔部の一方の側の切り欠き部片と、他方の側の切り欠き部片であり、前記半円筒部と、前記別の半円筒部が、孔部で切断した１つの孔部の一方の側の半円筒部片と、他方の側の半円筒部片である、放熱フィンとヒートパイプの接合方法である。
【００１８】
この発明の放熱フィンとヒートパイプの接合方法の第４の態様は、前記放熱フィンと前記別の放熱フィンが同一形状の薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、放熱フィンとヒートパイプの接合方法である。
【００１９】
この発明の放熱フィンとヒートパイプの接合方法の第５の態様は、前記放熱フィンと前記別の放熱フィンが異なる形状および／または異なる厚さの薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、放熱フィンとヒートパイプの接合方法である。
【００２０】
この発明の放熱フィンとヒートパイプの接合部の第１の態様は、ヒートパイプの放熱部と、前記放熱部の外周面に取り付けられる、内壁面に塗布された半田を備えた切り欠き部が一方の端部に形成された放熱フィンと、内壁面に塗布された半田を備えた別の切り欠き部が一方の端部に形成された別の放熱フィンとを備え、前記切り欠き部および前記別の切り欠き部に前記ヒートパイプの前記放熱部が半田接合されている放熱フィンとヒートパイプの接合部である。
【００２１】
この発明の放熱フィンとヒートパイプの接合部の第２の態様は、放熱フィン群を形成する個々の放熱フィンの一方の端部に設けた放熱フィン片の切り欠き部片に、半円筒部が、それぞれの放熱フィン片の平らな面に直角に一体的に形成されて、前記切り欠き部片の内壁面と前記半円筒部の内壁面とが同一面を形成し、放熱フィン群を形成する個々の別の放熱フィンの一方の端部に設けた放熱フィン片の別の切り欠き部片に、別の半円筒部が、それぞれの放熱フィン片の平らな面に直角に一体的に形成されて、前記別の切り欠き部片の内壁面と前記別の半円筒部の内壁面とが同一面を形成し、前記半円筒部および前記別の半円筒部のそれぞれの内壁面に半田を塗布し、前記半円筒部および前記別の半円筒部に前記ヒートパイプの放熱部を接合する、放熱フィンとヒートパイプの接合部である。
【００２２】
この発明の放熱フィンとヒートパイプの接合部の第３の態様は、前記放熱フィンと前記別の放熱フィンが、孔部で切断した１つの放熱フィンの一方の側の放熱フィン片と他方の側の放熱フィン片であり、前記切り欠き部と前記別の切り欠き部が孔部で切断した１つの孔部の一方の側の切り欠き部片と他方の側の切り欠き部片である、放熱フィンとヒートパイプの接合部である。
【００２３】
この発明の放熱フィンとヒートパイプの接合部の第４の態様は、前記放熱フィンと前記別の放熱フィンが同一形状の薄板状部材からなっており、前記放熱フィンの前記切り欠き部または半円筒部と前記別の放熱フィンの前記切り欠き部または半円筒部が相対して位置しており、前記放熱フィンと前記別の放熱フィンが交互またはランダムに配置されている、放熱フィンとヒートパイプの接合部である。
【００２４】
この発明の放熱フィンとヒートパイプの接合部の第５の態様は、前記放熱フィンと前記別の放熱フィンが異なる形状および／または異なる厚さの薄板状部材からなっており、前記放熱フィンの前記切り欠き部と前記別の放熱フィンの前記切り欠き部が相対して位置しており、前記放熱フィンと前記別の放熱フィンが交互またはランダムに配置されている、請求項６〜９の何れか１項に記載の放熱フィンとヒートパイプの接合部である。
【発明の効果】
【００２５】
この発明によると、放熱フィンを孔部で２つに切断し、孔部で切断した放熱フィンの一方の側の放熱フィン片に形成された切り欠き部片と、他方の側の放熱フィン片の放熱フィン片に形成された切り欠き部片のそれぞれの内壁面に半田を塗布し、ヒートパイプの放熱部に、半田を塗布した放熱フィン片を半田接合するので、放熱フィンの孔部の内壁部の全域に均一に半田接合を行うことができ、低い熱抵抗で、高い放熱効率を有する放熱フィンとヒートパイプの接合部を得ることができる。
【００２６】
更に、この発明によると、それぞれの切り欠き部が相対して位置する放熱フィンと別の放熱フィンを薄板状部材によって形成し、相対した切り欠き部の内壁面に半田を塗布して、ヒートパイプの放熱部に半田接合するので、放熱フィンの切り欠き部の内壁部の全域に均一に半田接合を行うことができるとともに、放熱フィンの厚さ、放熱フィンの配置を自在に行うことができ、設計の自由度が向上する。
【図面の簡単な説明】
【００２７】
【図１】図１（ａ）は、この発明の放熱フィンとヒートパイプの接合部の１つの態様を説明する斜視図である。図１（ｂ）は、放熱フィンを説明する斜視図である。図１（ｃ）は、半田を塗布した放熱フィンの切り欠き部を説明する拡大断面図である。
【図２】図２（ａ）は、この発明の放熱フィンとヒートパイプの接合部の他の１つの態様を説明する斜視図である。図２（ｂ）は、放熱フィンを説明する斜視図である。図２（ｃ）は、半田を塗布した放熱フィンの半円筒部を説明する拡大断面図である。
【図３】図３（ａ）は、この発明の放熱フィンとヒートパイプの接合部の他の１つの態様を説明する斜視図である。図３（ｂ）は、図３（ａ）の平面図である。
【図４】図４は、図３に示す放熱フィンの部分拡大図である。
【図５】図５（ａ）は、従来のヒートパイプの放熱部と放熱フィンの接合部を説明する斜視図である。図５（ｂ）は、個々の放熱フィンを示す断面図である。
【図６】図６は、従来のヒートパイプの放熱部と放熱フィンの他の接合部を説明する斜視図である。
【発明を実施するための形態】
【００２８】
この発明の放熱フィンとヒートパイプの接合部およびその接合方法の実施形態を、図面を参照しながら説明する。
【００２９】
この発明の放熱フィンとヒートパイプの接合部の１つの態様は、ヒートパイプの放熱部と、放熱部の外周面に取り付けられる、内壁面に塗布された半田を備えた切り欠き部が一方の端部に形成された放熱フィンと、内壁面に塗布された半田を備えた別の切り欠き部が一方の端部に形成された別の放熱フィンとを備え、切り欠き部および別の切り欠き部にヒートパイプの放熱部が半田接合されている放熱フィンとヒートパイプの接合部である。
【００３０】
図１（ａ）は、この発明の放熱フィンとヒートパイプの接合部の１つの態様を説明する斜視図である。図１（ｂ）は、放熱フィンを説明する斜視図である。図１（ｃ）は、半田を塗布した放熱フィンの切り欠き部（例えば、孔部）を説明する拡大断面図である。図１（ｂ）および図１（ｃ）に示すように、放熱フィン群３を形成する個々の放熱フィン３−１の一方の端部に、ヒートパイプ２の放熱部７の受け入れ用の切り欠き部４−１を設け、放熱フィン群３を形成する個々の別の放熱フィン３−２の一方の端部に、ヒートパイプ２の放熱部７の受け入れ用の別の切り欠き部４−２を設け、切り欠き部４−１および別の切り欠き部４−２のそれぞれの内壁面５−１、５−２に半田６−１、６−２を塗布する。
【００３１】
この態様では、放熱フィンは平らな薄板状の放熱フィンであり、放熱フィン３−１と別の放熱フィン３−２が、孔部で切断した１つの放熱フィンの一方の側の放熱フィン片と他方の側の放熱フィン片であり、切り欠き部４−１と別の切り欠き部４−２が孔部で切断した１つの孔部の一方の側の切り欠き部片と他方の側の切り欠き部片である。
【００３２】
上述したように、切り欠き部４−１および別の切り欠き部４−２のそれぞれの内壁面５−１、５−２に半田６−１、６−２を塗布した放熱フィン３−１、３−２を、ヒートパイプ２の放熱部７に装着し、放熱フィンとヒートパイプの放熱部を半田接合する。この態様の切り欠き部は半円形状であるが、ヒートパイプの放熱部の形状に対応した形状を適宜設定することができる。
【００３３】
この発明の放熱フィンとヒートパイプの接合部は、上述したように、２つの放熱フィン３−１、３−２が、孔部で切断した1つの放熱フィンの一方の側の放熱フィン片と他方の側の放熱フィン片であり、２つの切り欠き部４−１、４−２が孔部で切断した１つの孔部の一方の側の切り欠き部片と他方の側の切り欠き部片であるので、孔部の内壁面に均一に半田６−１、６−２を塗布することができ、放熱フィンとヒートパイプの放熱部を低い熱抵抗で均一に半田接合することができる。なお、半田は少なくとも孔部の内壁面に均一に塗布すればよい。
【００３４】
図２（ａ）は、この発明の放熱フィンとヒートパイプの接合部の他の１つの態様を説明する斜視図である。図２（ｂ）は、放熱フィンを説明する斜視図である。図２（ｃ）は、半田を塗布した放熱フィンの孔部を説明する拡大断面図である。
【００３５】
図２（ｂ）および図２（ｃ）に示すように、放熱フィン群３を形成する個々の放熱フィン３−１の一方の端部に、ヒートパイプ２の放熱部７の受け入れ用の切り欠き部４−１を設け、放熱フィン群３を形成する個々の別の放熱フィン３−２の一方の端部に、ヒートパイプ２の放熱部７の受け入れ用の別の切り欠き部４−２を設け、更に、放熱フィン３−１、３−２の切り欠き部４−１、４−２と同一径の半円筒部８−１、８−２が、それぞれの放熱フィンの平らな面に直角に一体的に形成されて、孔部４−１、４−２の内壁面と半円筒部８−１、８−２の内壁面とが、それぞれ単一の面を形成している。
【００３６】
このように形成された切り欠き部４−１、別の切り欠き部４−２と半円筒部８−１、８−２のそれぞれの内壁面５−１、５−２に半田６−１、６−２を塗布する。なお、放熱フィン３−１、３−２の切り欠き部４−１、４−２と、半円筒部８−１、８−２を別々の部材で形成して、それぞれの内壁面が同一面を形成するように、放熱フィン３−１、３−２の表面上に半円筒部８−１、８−２を接合してもよい。
【００３７】
この態様においては、放熱フィン３−１、３−２の切り欠き部４−１、４−２に半円筒部８−１、８−２を備えているので、半田を塗布する内壁面５−１、５−２の面積が大きくなり、ヒートパイプの放熱部から放熱フィンへの熱移動面積が拡大して熱効率が向上する。
【００３８】
この態様においては、放熱フィンは、薄板状の上面、垂直面および下面からなる断面略凹字形のフィンであり、放熱フィン３−１と別の放熱フィン３−２が、円筒部を備えた断面凹字形のフィンを中央部で切断して形成された１つの放熱フィンの一方の側の放熱フィン片と他方の側の放熱フィン片であり、半円筒部を備えた切り欠き部４−１と別の切り欠き部４−２が中央部で切断した１つの孔部の一方の側の孔部片と他方の側の孔部片である。放熱フィンの形状は上述した形状に限定されることはなく、例えば垂直面と底面からなる断面略Ｌ字形であってもよい。
【００３９】
この態様の放熱フィンとヒートパイプの接合部においては、半円筒部によって拡大された孔部の内壁面に均一に半田６−１、６−２を塗布することができ、放熱フィンとヒートパイプの放熱部を低い熱抵抗で均一に半田接合することができる。この態様の孔部は半円形状であるが、ヒートパイプの放熱部の形状に対応した形状を適宜設定することができる。
【００４０】
なお、図示しないが、図１および図２を参照して説明した複数の並列配置された放熱フィンを例えば金属板に固定して、それぞれ金属板に固定された２個の放熱フィン群を形成して、それぞれの切り欠き部の内壁面に半田を塗布して、ヒートパイプの放熱部に半田接合してもよい。
【００４１】
図３（ａ）は、この発明の放熱フィンとヒートパイプの接合部の他の１つの態様を説明する斜視図である。図３（ｂ）は、図３（ａ）の平面図である。図４は、図３に示す放熱フィンの部分拡大図である。この態様の接合部においては、放熱フィンと別の放熱フィンが同一形状の薄板状部材からなっており、放熱フィンの切り欠き部と別の放熱フィンの切り欠き部が相対して位置しており、放熱フィンと別の放熱フィンが交互に配置されている。なお、放熱フィンは同一形状に限定されることはない。別の形状の薄板状部材からなっていてもよい。放熱フィンの厚さ、フィンピッチも適宜設定することができる。フィンの間隔は均一でも不均一でもよく、放熱フィンと別の放熱フィンは交互でなくランダムに配置されても良い。
【００４２】
即ち、図３（ａ）および図３（ｂ）に示すように、ヒートパイプ２の放熱部７には、図４（ａ）に示すような、概ね同一形状の薄板状部材からなる放熱フィン３−１、３−２が交互あるいはランダムに配置される。放熱フィン３−１は、一方の端部に切り欠き部４−１を備えている。切り欠き部４−１の先端部は、ヒートパイプの放熱部の外周面と対応した形状を有している。切り欠き部４−１の奥行きは、ヒートパイプの放熱部に配置する形態に対応して適宜設定することができる。
【００４３】
放熱フィン３−１と相対して交互あるいはランダムに配置される放熱フィン３−２は、放熱フィン３−１と相対する端部に切り欠き部４−２を備えている。切り欠き部４−２の先端部は、ヒートパイプ２の放熱部７の外周面と対応した形状を有している。切り欠き部４−２の奥行きは、ヒートパイプ２の放熱部７に配置する形態に対応して適宜設定することができる。
【００４４】
このように切り欠き部４−１、４−２が形成された放熱フィン３−１、３−２の切り欠き部の内壁面５−１、５−２に半田を塗布し、ヒートパイプ２の放熱部７と半田接合される。なお、図４（ｂ）に示すように、放熱フィン３−１、３−２の切り欠き部４−１、４−２にそれぞれ半楕円筒部９−１、９−２を設けてもよい。半楕円筒部９−１、９−２は、図２（ｂ）を参照して説明した半円筒部と同様に形成することができる。即ち、放熱フィン３−１、３−２の切り欠き部４−１、４−２と同一断面の半楕円筒部９−１、９−２が、それぞれの放熱フィンの平らな面に直角に一体的に形成されて、切り欠き部４−１、４−２の内壁面と半楕円筒部９−１、９−２の内壁面とが、それぞれ単一の同一面を形成している。
【００４５】
このように半楕円筒部を形成することによって、半楕円筒部によって拡大された孔部の内壁面５−１、５−２に均一に半田６−１、６−２を塗布することができ、放熱フィン３−１、３−２とヒートパイプ２の放熱部７を低い熱抵抗で均一に半田接合することができる。この態様によると、放熱フィンの厚さ、放熱フィンの配置を自在に行うことができ、設計の自由度が向上する。
【００４６】
上述したように、この発明によると、放熱フィンと、放熱フィンの孔部に挿通されたヒートパイプの放熱部とが低い熱抵抗で接合され、高い放熱効率を有する放熱フィンとヒートパイプの接合部およびその接合方法を提供することができる。
【符号の説明】
【００４７】
１  放熱フィンとヒートパイプの接合部
２  ヒートパイプ
３  放熱フィン群
３−１、３−２  放熱フィン
４−１、４−２  切り欠き部
５−１、５−２  内壁面
６−１、６−２  半田
７  ヒートパイプの放熱部
８−１、８−２  半円筒部
９−１、９−２  半楕円筒部
【図１】
2011163622.tif 000003
【図２】
2011163622.tif 000004
【図３】
2011163622.tif 000005
【図４】
2011163622.tif 000006
【図５】
2011163622.tif 000007
【図６】
2011163622.tif 000008